(57)【要約】電池残量に応じて映像区間の映像を再生する映像再生装置を提供する。電池残量計測手段１１が、電池の残量を計測する。映像再生可能時間算出手段１２が、計測された電池の残量を参照して映像が再生できる時間長を算出する。映像区間関連度算出手段１３は、算出された時間長が、現在再生中の箇所以降の映像の時間長よりも短いか否かを判定する。算出された時間長のほうが短い場合には、映像区間重要度算出手段１３が、現在再生中の時間位置以降の各映像区間と、現在再生中の箇所以前の各映像区間との関連度の合計を映像区間の重要度として算出する。再生予定映像区間選定手段１４は、映像再生可能時間算出手段１２が算出した時間長に収まるように、重要度にもとづいて再生する映像区間を選定する。映像再生手段１５は、再生予定映像区間選定手段１４で選定された映像区間の映像の再生を行う。
2007142183.tif 000002
【特許請求の範囲】
【請求項１】
電池残量にもとづいて、コンテンツの再生可能時間を算出するコンテンツ再生可能時間算出手段と、
時間方向に区切られたコンテンツの区間であるコンテンツ区間のうち、再生済みのコンテンツ区間に応じて、再生対象となるコンテンツ区間の重要度を算出する再生対象コンテンツ重要度算出手段と、
前記再生対象コンテンツ重要度算出手段が算出した重要度に応じて、前記コンテンツ再生可能時間算出手段が算出した時間内で再生するコンテンツ区間を選択するコンテンツ区間選択手段と、
前記コンテンツ区間選択手段が選択したコンテンツ区間のコンテンツを再生するコンテンツ再生手段とを備えた
ことを特徴とするコンテンツ再生装置。
【請求項２】
電池残量を計測する電池残量計測手段を含み、
コンテンツ再生可能時間算出手段は、前記電池残量計測手段が計測した電池残量が一定値以下になった場合に、電池残量にもとづいてコンテンツの再生可能時間を算出する
請求項１記載のコンテンツ再生装置。
【請求項３】
コンテンツ区間同士の関連度を記憶したコンテンツ区間関連度記憶部を含み、
再生対象コンテンツ重要度算出手段は、現在再生中の箇所以降の各コンテンツ区間に対して、現在再生中の箇所を含むコンテンツ区間より前の各コンテンツ区間との関連度を前記コンテンツ区間関連度記憶部から呼び出し、呼び出した前記関連度の合計を各コンテンツ区間の重要度として算出する
請求項１または請求項２記載のコンテンツ再生装置。
【請求項４】
コンテンツ区間同士の関連度を記憶したコンテンツ区間関連度記憶部を含み、
再生対象コンテンツ重要度算出手段は、コンテンツ再生可能時間算出手段が算出した時間長が、現在再生中の箇所以降のコンテンツの時間長よりも短い場合に、現在再生中の箇所以降の各コンテンツ区間に対して、現在再生中の箇所を含むコンテンツ区間より前の各コンテンツ区間との関連度を前記コンテンツ区間関連度記憶部から呼び出し、呼び出した前記関連度の合計を各コンテンツ区間の重要度として算出する
請求項１から請求項３のうちいずれか１項記載のコンテンツ再生装置。
【請求項５】
電池残量にもとづいて、コンテンツの再生可能時間を算出するコンテンツ再生可能時間算出ステップと、
時間方向に区切られたコンテンツの区間であるコンテンツ区間のうち、再生済みのコンテンツ区間に応じて、再生対象となるコンテンツ区間の重要度を算出する再生対象コンテンツ重要度算出ステップと、
前記再生対象コンテンツ重要度算出ステップで算出した重要度に応じて、前記コンテンツ再生可能時間算出ステップで算出した時間内で再生するコンテンツ区間を選択するコンテンツ区間選択ステップと、
前記コンテンツ区間選択ステップで選択したコンテンツ区間のコンテンツを再生するコンテンツ再生ステップとを備えた
ことを特徴とするコンテンツ再生方法。
【請求項６】
電池残量を計測する電池残量計測ステップを含み、
前記電池残量計測ステップにおいて計測した電池残量が一定値以下になった場合に、コンテンツ再生可能時間算出ステップで、電池残量にもとづいてコンテンツの再生可能時間を算出する
請求項５記載のコンテンツ再生方法。
【請求項７】
再生対象コンテンツ重要度算出ステップで、現在再生中の箇所以降の各コンテンツ区間に対して、現在再生中の箇所を含むコンテンツ区間より前の各コンテンツ区間との関連度をコンテンツ区間同士の関連度を記憶したコンテンツ区間関連度記憶部から呼び出し、呼び出した前記関連度の合計を各コンテンツ区間の重要度として算出する
請求項５または請求項６記載のコンテンツ再生方法。
【請求項８】
コンテンツ再生可能時間算出ステップにおいて算出した時間長が、現在再生中の箇所以降のコンテンツの時間長よりも短い場合に、再生対象コンテンツ重要度算出ステップで、現在再生中の箇所以降の各コンテンツ区間に対して、現在再生中の箇所を含むコンテンツ区間より前の各コンテンツ区間との関連度をコンテンツ区間同士の関連度を記憶したコンテンツ区間関連度記憶部から呼び出し、呼び出した前記関連度の合計を各コンテンツ区間の重要度として算出する
請求項５から請求項７のうちいずれか１項記載のコンテンツ再生方法。
【請求項９】
電池残量にもとづいて、コンテンツの再生可能時間を算出するコンテンツ再生可能時間算出ステップと、
時間方向に区切られたコンテンツの区間であるコンテンツ区間のうち、再生済みのコンテンツ区間に応じて、再生対象となるコンテンツ区間の重要度を算出する再生対象コンテンツ重要度算出ステップと、
前記再生対象コンテンツ重要度算出ステップで算出した重要度に応じて、前記コンテンツ再生可能時間算出ステップで算出した時間内で再生するコンテンツ区間を選択するコンテンツ区間選択ステップと、
前記コンテンツ区間選択ステップで選択したコンテンツ区間のコンテンツを再生するコンテンツ再生ステップとを備えた
ことを特徴とするコンテンツ再生方法をコンピュータに行わせるためのコンテンツ再生用プログラム。
【請求項１０】
前記コンテンツ際せ方法は、電池残量を計測する電池残量計測ステップを含み、
前記電池残量計測ステップにおいて計測した電池残量が一定値以下になった場合に、コンテンツ再生可能時間算出ステップで、電池残量にもとづいてコンテンツの再生可能時間を算出する
請求項９記載のコンテンツ再生用プログラム。
【請求項１１】
再生対象コンテンツ重要度算出ステップで、現在再生中の箇所以降の各コンテンツ区間に対して、現在再生中の箇所を含むコンテンツ区間より前の各コンテンツ区間との関連度をコンテンツ区間同士の関連度を記憶したコンテンツ区間関連度記憶部から呼び出し、呼び出した前記関連度の合計を各コンテンツ区間の重要度として算出する
請求項９または請求項１０記載のコンテンツ再生用プログラム。
【請求項１２】
コンテンツ再生可能時間算出ステップにおいて算出した時間長が、現在再生中の箇所以降のコンテンツの時間長よりも短い場合に、再生対象コンテンツ重要度算出ステップで、現在再生中の箇所以降の各コンテンツ区間に対して、現在再生中の箇所を含むコンテンツ区間より前の各コンテンツ区間との関連度をコンテンツ区間同士の関連度を記憶したコンテンツ区間関連度記憶部から呼び出し、呼び出した前記関連度の合計を各コンテンツ区間の重要度として算出する
請求項９から請求項１１のうちいずれか１項記載のコンテンツ再生用プログラム。
【発明の詳細な説明】
【技術分野】
【０００１】
本願は、日本の特願２００６−１５６５３５（２００６年６月５日に出願）に基づいたものであり、又、特願２００６−１５６５３５に基づくパリ条約の優先権を主張するものである。特願２００６−１５６５３５の開示内容は、特願２００６−１５６５３５を参照することにより本明細書に援用される。【０００２】
本発明は、コンテンツ再生装置、コンテンツ再生方法およびコンテンツ再生用プログラムに関し、特にコンテンツ再生装置の電池残量が少なくなった場合に再生するコンテンツ区間を制御するコンテンツ再生装置、コンテンツ再生方法およびコンテンツ再生用プログラムに関する。
【背景技術】
【０００３】
本願発明に関連する携帯電話機やＰＤＡ（Ｐｅｒｓｏｎａｌ  Ｄｉｇｉｔａｌ  Ａｓｓｉｓｔａｎｔｓ）、ノートパソコン（ノート型パーソナルコンピュータ）などのモバイル端末は、サーバまたはモバイル端末自身が蓄積しているコンテンツ（例えば、映像。）の再生中に電池残量が少なくなった場合に、電池残量が少ないことを警告したうえで、電池からの電力供給が停止する直前まで映像の再生を続けることが一般的であった。【０００４】
しかし、電池からの電力供給が停止する直前まで通常に映像の再生を続けると、再生中の映像を最後まで再生することができなかったり、視聴者の都合に関係なく映像の再生が中断されてしまったりして、視聴者に不快感を与えてしまうという問題点があった。特に、スポーツ番組や、ドラマ番組、クイズ番組などで、映像再生が途中で終わってしまった場合、結果が気になる視聴者に与える不快感は顕著であった。【０００５】
特許文献１には、映像再生方法の一例が記載されている。特許文献１に記載されている消費電力抑制方法は、電池の実際の残量を検出し、受信したコンテンツを再生するために必要な電池容量を予測する。そして、電池残量と必要な電池容量とを比較して電池残量が少ない場合には、電力不足を通知するとともに、配信サーバから動画像データの品質（フレーム数等）を落として（動画像データの品質を低下させて）送信させる。【０００６】
また、特許文献２には、利用者が設定した動作モードと動作制限処理とにもとづいて、サーバが送信した符号化データの一部のみを受信して画質を制御したり、利用者の嗜好データにもとづいて判定した重要度と電池残量とにもとづいて、受信、復号または再生出力の処理を制御したりするデータ再生装置が記載されている。【０００７】
特許文献３には、電池残量が少なくなると、あらかじめ利用者が設定した映像の各区間の重要度に応じて画質を落とす（画質を低下させる）ことで、電池残量がなくなるまでの間、中断することなく重要な映像区間を再生し、視聴可能にする方法が記載されている。【０００８】
特許文献４には、コンテンツの音響的特徴量にもとづいて、コンテンツにおける重要な区間を特定して、再生する部分を決定する方法が記載されている。【０００９】
特許文献５には、電池残量にもとづいてコンテンツの再生可能時間を算出し、算出した再生可能時間よりも再生時間が短いコンテンツの一覧をユーザに提示する装置が記載されている。【００１０】
【特許文献１】特開２００２−７７３７７号公報（段落００１０〜００３１、図１）
【特許文献２】特開２００３−２６４７６７号公報（段落００３５〜０２１２、図１）
【特許文献３】特開２００５−２６７２１８号公報（段落００２１〜００９３、図１）
【特許文献４】特開２００５−３２８３２９号公報（段落００１２〜００１９、図１）
【特許文献５】特開２００５−３３３５８３号公報（段落００２２〜００３８、図１）
【発明の開示】
【発明が解決しようとする課題】
【００１１】
しかしながら、上述した特許文献１から特許文献４に記載されている方法には、以下のような問題がある。【００１２】
特許文献１から特許文献３に記載されている方法は、事前に定義された区間の映像である映像区間の重要度に応じて再生される映像品質を制御することで、消費電力を抑制している。しかし、映像の内容自体はそのまま配信されている。このため、利用者が最も視聴したいシーン（映像区間）が再生される前に電池からの電力供給が停止してしまう可能性があるという問題がある。【００１３】
また、特許文献１から特許文献４に記載されている方法では、ある映像区間が視聴済みであるか否かに関係なく、再生する映像区間に対する重要度は常に一定である。このため、例えばクイズ番組の問題部分の映像区間を視聴した場合と、視聴しなかった場合とによって、クイズの解答部分の映像区間の重要度は利用者にとっては異なる。しかし、特許文献１から特許文献４に記載の方法では、視聴の有無に関わらず同じ重要度になり、視聴済みの映像区間がある場合であっても、視聴済みの映像区間に応じて重要度を変更できないという問題がある。【００１４】
また、特許文献５に記載されている装置は、コンテンツの重要度に関わらず、コンテンツの再生時間にもとづいてユーザに提示するコンテンツを決定するので、重要度が高い部分を含んでいるが、再生時間が長いコンテンツをユーザに提示することができないという問題がある。【００１５】
そこで、本発明は、再生済み箇所および電池残量に応じて再生するコンテンツ区間を選定するコンテンツ再生装置、コンテンツ再生方法およびコンテンツ再生用プログラムを提供することを代表的な目的とする。
【課題を解決するための手段】
【００１６】
本発明の第１の観点によれば、電池残量にもとづいて、コンテンツの再生可能時間を算出するコンテンツ再生可能時間算出手段と、時間方向に区切られたコンテンツの区間であるコンテンツ区間のうち、再生済みのコンテンツ区間に応じて、再生対象となるコンテンツ区間の重要度を算出する再生対象コンテンツ重要度算出手段と、再生対象コンテンツ重要度算出手段が算出した重要度に応じて、コンテンツ再生可能時間算出手段が算出した時間内で再生するコンテンツ区間を選択するコンテンツ区間選択手段と、コンテンツ区間選択手段が選択したコンテンツ区間のコンテンツを再生するコンテンツ再生手段とを備えたことを特徴とするコンテンツ再生装置が提供される。【００１７】
本発明の第２の観点によれば、電池残量にもとづいて、コンテンツの再生可能時間を算出するコンテンツ再生可能時間算出ステップと、時間方向に区切られたコンテンツの区間であるコンテンツ区間のうち、再生済みのコンテンツ区間に応じて、再生対象となるコンテンツ区間の重要度を算出する再生対象コンテンツ重要度算出ステップと、前記再生対象コンテンツ重要度算出ステップで算出した重要度に応じて、前記コンテンツ再生可能時間算出ステップで算出した時間内で再生するコンテンツ区間を選択するコンテンツ区間選択ステップと、前記コンテンツ区間選択ステップで選択したコンテンツ区間のコンテンツを再生するコンテンツ再生ステップとを備えたことを特徴とするコンテンツ再生方法が提供される。【００１８】
本発明の第３の観点によれば、電池残量にもとづいて、コンテンツの再生可能時間を算出するコンテンツ再生可能時間算出ステップと、時間方向に区切られたコンテンツの区間であるコンテンツ区間のうち、再生済みのコンテンツ区間に応じて、再生対象となるコンテンツ区間の重要度を算出する再生対象コンテンツ重要度算出ステップと、前記再生対象コンテンツ重要度算出ステップで算出した重要度に応じて、前記コンテンツ再生可能時間算出ステップで算出した時間内で再生するコンテンツ区間を選択するコンテンツ区間選択ステップと、前記コンテンツ区間選択ステップで選択したコンテンツ区間のコンテンツを再生するコンテンツ再生ステップとを備えたことを特徴とするコンテンツ再生方法をコンピュータに行わせるためのコンテンツ再生用プログラムが提供される。
【発明の効果】
【００１９】
本発明によれば、電池からの電力供給が停止したために重要なシーン（コンテンツ区間）が再生されない事態を容易に回避することができる。その理由は、各コンテンツ区間の重要度を算出し、現在の再生位置にもとづいて算出した重要度およびコンテンツ再生装置の電池残量に応じて再生するコンテンツ区間を決定するように構成したためである。【００２０】
電池残量計測手段が計測した電池残量が一定値以下になった場合に、電池残量にもとづいてコンテンツの再生可能時間を算出するように構成されている場合には、電池残量に応じてコンテンツを再生することができる。【００２１】
現在再生中の箇所以降の各コンテンツ区間と、現在再生中の箇所を含むコンテンツ区間より前の各コンテンツ区間との関連度にもとづいて、各コンテンツ区間の重要度を算出するように構成されている場合には、既に再生したコンテンツ区間に関連する未再生のコンテンツ区間のコンテンツを再生することができる。【００２２】
コンテンツの再生可能時間の時間長が、現在再生中の箇所以降のコンテンツの時間長よりも短い場合に重要度を算出するように構成されている場合には、コンテンツの再生可能時間と現在再生中の箇所以降のコンテンツの時間長とに応じて、コンテンツを再生することができる。
【図面の簡単な説明】
【００２３】
【図１】代表的な第１の実施の形態の映像再生装置の構成例を示すブロック図である。
【図２】代表的な第１の実施の形態の動作を説明するフローチャートである。
【図３】代表的な第２の実施の形態の動作を説明するフローチャートである。
【図４】代表的な第３の実施の形態の音響信号再生装置の構成例を示すブロック図である。
【図５】代表的な第３の実施の形態の動作を説明するフローチャートである。
【符号の説明】
【００２４】
１、１０  データ処理部
２、２０  記憶部
３、３０  入力装置
４  表示装置
１１、１１０  電池残量計測部
１２  映像再生可能時間算出部
１３  映像区間重要度算出部
１４  再生予定映像区間選定部
１５  映像再生部
２１  映像記憶部
２２  映像区間関連度記憶部
２３、２３０  視聴履歴記憶部
４０  音声出力装置
１２０  音響信号再生可能時間算出部
１３０  音響信号区間重要度算出部
１４０  再生予定音響信号区間選定部
１５０  音響信号再生部
２１０  音響信号記憶部
２２０  音響信号区間関連度記憶部
【発明を実施するための最良の形態】
【００２５】
代表的な実施の形態１．
本発明の代表的な第１の実施の形態について、図面を参照して説明する。図１は、本発明の代表的な第１の実施の形態の映像再生装置（コンテンツ再生装置）の構成例を示すブロック図である。なお、本実施の形態では、コンテンツが映像である場合を例に説明する。【００２６】
図１に示す映像再生装置は、入力装置３と、プログラム制御により動作するデータ処理部１と、情報を記憶する記憶部２と、表示装置４とを含む。また、映像再生装置は、各部に電力を供給する電池を搭載している。なお、本実施の形態において、映像再生装置は、携帯型の電子機器（以下、モバイル端末という。）である。【００２７】
表示装置４は、ディスプレイ等の映像出力装置であり、映像を表示する。入力装置３は、ボタンや、キーボード、キーパット、ポインティングデバイス、リモコン（リモートコントローラ）等の入力デバイスであり、再生する映像を指定する等の映像再生に関する指示を入力することができる。【００２８】
記憶部２は、映像記憶部２１と、映像区間関連度記憶部（コンテンツ区間関連度記憶部）２２と、視聴履歴記憶部２３とを含む。なお、記憶部２は、モバイル端末内にあってもよいし、記憶部２に記憶されている情報を、データ処理部１が通信ネットワーク経由で取得可能な場所にあってもよい。【００２９】
映像記憶部２１は、再生対象の映像（コンテンツ）を記憶している。映像区間関連度記憶部２２は、各映像区間同士の関連度を記憶する。ここで、映像区間（コンテンツ区間）とは、再生対象の映像を時間方向に区切ったものである。編集者によって定められたシーンや、カメラの切り替わりショットなどを、手動であらかじめ映像の区切りと定義しておく。なお、手動で映像区間を定義するかわりに、例えば、下記の参考文献１に記載されている方法に代表されるカット検出技術や、下記の参考文献２に記載されている方法に代表されるトピック分割技術を用いて、映像を自動的に意味のあるまとまりに区切ってもよい。【００３０】
［参考文献１］
谷口行信、外村佳伸、浜田洋，「映像ショット切替え検出法とその映像アクセスインタフェース」，電子情報通信学会論文誌，社団法人電子情報通信学会，１９９６年４月，Ｄ−ＩＩ，Ｖｏｌ．Ｊ７９−Ｄ−ＩＩ，Ｎｏ．４，ｐ．５３８−５４６
［参考文献２］
帆足啓一郎、菅野勝、内藤正樹、松本一則、菅谷史昭，「コンテンツ非依存特徴量に基づく動画像話題分割手法」，信学技報，社団法人電子情報通信学会，２００４年６月，ＰＲＭＵ２００５−２９，ｐ４３−４８【００３１】
映像区間関連度記憶部２２は、区切られた各映像区間に対して、その映像区間以降の映像区間に対する関連度をそれぞれ記憶している。例えば、映像区間がＮ個ある場合に、映像区間関連度記憶部２２は、１番目の映像区間に対して、１番目の映像区間と２番目の映像区間との関連度、１番目の映像区間と３番目の映像区間との関連度、１番目の映像区間と４番目の映像区間との関連度、・・・、および１番目の映像区間とＮ番目の映像区間との関連度を記憶している。【００３２】
また、映像区間関連度記憶部２２は、２番目の映像区間に対して、２番目の映像区間と３番目の映像区間との関連度、２番目の映像区間と４番目の映像区間との関連度、・・・、および２番目の映像区間とＮ番目の映像区間との関連度を記憶している。映像区間関連度記憶部２２は、以下、同様に、ｊ番目の映像区間に対して、ｊ番目の映像区間と、ｊ＋１番目の映像区間からＮ番目の映像区間までの各映像区間との関連度をそれぞれ記憶している。【００３３】
ｊ番目の映像区間とｋ番目の映像区間との関連度Ｒ（ｊ，ｋ）の値は、手動で割り当てられてもよいし、自動的に割り当てられてもよい。自動的に関連度を割り当てる方法の一例として、映像区間ごとに付与されたテキストデータの相関を求めることにより関連度を算出する方法がある。キーワードやテキスト間の類似度算出方法で用いられるコサイン類似度を、関連度として用いることができる。参考文献３には、ワードやテキスト間の類似度算出方法として用いられるコサイン類似度について記載されている。【００３４】
［参考文献３］
宮部泰成、高村大也、奥村学，「異なる文書中の文間関係の特定」，情報処理学会研究報告，社団法人情報処理学会，自然言語処理研究会，２００５年７月，２００５−ＮＬ−１６９，ｐ．３５−４２【００３５】
視聴履歴記憶部２３は、映像がどの時間位置まで視聴されたのかを記憶する。【００３６】
データ処理部１は、電池残量計測部１１と、映像再生可能時間算出部（コンテンツ再生可能時間算出部）１２と、映像区間重要度算出部（再生対象コンテンツ重要度算出部）１３と、再生予定映像区間選定部（コンテンツ区間選択部）１４と、映像再生部１５とを含む。【００３７】
電池残量計測部１１は、モバイル端末の電池の残量を計測する。映像再生可能時間算出部１２は、電池残量計測部１１が計測した電池の残量を参照して、電池の残量が一定値以下になったときに、電池からの電力供給が停止するまでに再生できる映像の時間長を算出する。【００３８】
映像区間重要度算出部１３は、映像再生可能時間算出部１２が算出した時間長が、現在再生中の箇所以降の映像の時間長よりも短いか否かを判定する。映像区間重要度算出部１３は、映像再生可能時間算出部１２が算出した時間長のほうが短いと判定した場合に、現在再生中の映像の時間位置を視聴履歴記憶部２３から呼び出す。そして、現在再生中の映像の時間位置を含む映像区間以降の各映像区間と、現在再生中の箇所を含む映像区間より前の各映像区間（視聴済みの映像区間）との関連度を映像区間関連度記憶部２２から呼び出し、呼び出した関連度を各映像区間ごとに合計した値をその映像区間の重要度として算出する。ｊ番目の映像区間に対する重要度Ｖｊ は、式１により算出される。式１において、Ｒ（ｊ，ｋ）は、ｊ番目の映像区間とｋ番目の映像区間との関連度を示している。【００３９】
【数１】
2007142183.tif 000003
【００４０】
再生予定映像区間選定部１４は、映像再生可能時間算出部１２が算出した時間長に収まるように、映像区間重要度算出部１３が算出した各映像区間の重要度を参照して、再生する映像区間を選定する。例えば、映像区間の時間長の合計が、映像再生可能時間算出部１２が算出した時間長以内になるように、重要度の高い順に再生する映像区間を選定する。なお、再生予定映像区間選定部１４は、モバイル端末が利用者に再生映像区間の選定を自動的に行ってもよいかを選択させ、利用者がよいと選択した場合にのみ、再生区間の自動選定を行うようにしてもよい。【００４１】
映像再生部（コンテンツ再生部）１５は、再生予定映像区間選定部１４が選定した映像区間の映像、または入力装置３に入力された指示によって指定された映像（映像区間の映像）を記憶部２から取得し、取得した映像を表示装置４に表示させ、映像を再生させる。【００４２】
なお、映像再生装置は、コンピュータに、電池残量にもとづいて、映像（コンテンツ）の再生可能時間を算出するコンテンツ再生可能時間算出処理と、時間方向に区切られた映像の区間のうち、再生済みの映像区間に応じて、再生対象となる映像区間の重要度を算出する再生対象コンテンツ重要度算出処理と、再生対象コンテンツ重要度算出処理で算出した重要度に応じて、コンテンツ再生可能時間算出処理で算出した時間内で再生する映像区間を選択するコンテンツ区間選択処理と、コンテンツ区間選択処理で選択した映像区間の映像を再生するコンテンツ再生処理とを実行させるためのコンテンツ再生用プログラムを搭載している。【００４３】
次に、代表的な第１の実施の形態の動作について、図面を参照して説明する。図２は、代表的な第１の実施の形態の動作を説明するフローチャートである。【００４４】
利用者によって、リモコンやキーボードなどの入力装置３を介して、再生する映像コンテンツの識別子が指定された場合に、映像再生部１５は、映像記憶部２１に記憶されている映像のうち、指定された映像を再生する（ステップＳ１０１）。【００４５】
電池残量計測部１１は、例えば、所定の時間間隔で、モバイル端末の電池の残量を計測する（ステップＳ１０２）。映像再生可能時間算出部１２は、電池残量計測部１１が計測した電池の残量を参照して、電池の残量が一定値（しきい値）以下になったか否かを判定する（ステップＳ１０３）。映像再生可能時間算出部１２は、電池の残量が一定値以下になったと判定した場合に（ステップＳ１０３のＹＥＳ）、電池からの電力供給が停止するまでに映像を再生することができる時間長を算出する（ステップＳ１０４）。【００４６】
次に、映像区間重要度算出部１３は、映像再生可能時間算出部１２が算出した時間長が、現在再生中の箇所以降の映像の時間長よりも短いか否かを判定する（ステップＳ１０５）。電池残量の範囲内で未視聴部分をすべて再生可能な場合、つまり再生可能時間長が未視聴部分の時間長以上の場合に、映像区間重要度算出部１３は、映像再生可能時間算出部１２が算出した時間長が、現在再生中の箇所以降の映像の時間長よりも長いと判定する（ステップＳ１０５のＹＥＳ）。そして、映像再生部１５は、現在再生中の映像をそのまま再生し（ステップＳ１０６）、再生が終わるとともに処理を終了する。【００４７】
映像再生可能時間算出部１２が算出した時間長が、現在再生中の箇所以降の映像の時間長よりも短い場合に、映像区間重要度算出部１３は、映像再生可能時間算出部１２が算出した時間長が現在再生中の箇所以降の映像の時間長よりも短いと判定し（ステップＳ１０５のＮＯ）、現在再生中の箇所の時間位置を視聴履歴記憶部２３から呼び出す（ステップＳ１０７）。そして、現在再生中の時間位置以降の各映像区間と、現在再生中の箇所を含む映像区間より前の各映像区間との関連度をそれぞれ映像区間関連度記憶部２２から呼び出し、現在再生中の箇所以降の各映像区間の重要度を算出する。【００４８】
なお、ｊ番目の映像区間に対する重要度Ｖｊ は、式１により算出される。したがって、クイズ番組の映像で、あるクイズの問題の箇所（映像区間）が視聴済みである場合には、関連が極めて高いと考えられるその問題の解答部分の映像区間の重要度が高く設定されることになる。【００４９】
各映像区間の重要度の算出方法について説明する。例えば、現在再生中の映像の時間位置を含む映像区間の通し番号をｍ、再生対象の映像に含まれる映像区間の数をＮとする（ステップＳ１０８）。そして、映像区間重要度算出部１３は、ｍ番目の映像区間からＮ番目の映像区間のそれぞれに対して、重要度Ｖｎ （ｍ≦ｎ≦Ｎ）を算出する（ステップＳ１０９〜Ｓ１１１）。【００５０】
具体的には、映像区間重要度算出部１３は、ｎ番目の映像区間の重要度Ｖｎ を算出する（ステップＳ１０９）。そして、映像区間重要度算出部１３は、ｎ番目の映像区間の後の映像区間の重要度を算出するために、ｎに１を加える（ステップＳ１１０）。そして、ｎがＮよりも大きくない場合に（ステップＳ１１１のＮＯ）、映像区間重要度算出部１３は、ｎ（ステップＳ１１０で１が加えられている。）番目の映像区間の重要度Ｖｎを算出する（ステップＳ１０９）。【００５１】
再生予定映像区間選定部１４は、映像再生可能時間算出部１２が算出した時間長に収まるように、映像区間重要度算出部１３が算出した各映像区間の重要度を参照して、再生する映像区間を選定する。例えば、ステップＳ１１２、およびステップＳ１１３に示すように、映像区間の時間長の合計が映像再生可能時間算出部１２が算出した時間長以内になるように、重要度の高い（重要度の値が大きい）順番に映像区間を並べ（ステップＳ１１２）、並べた順番に映像区間を選定する（ステップＳ１１３）。【００５２】
映像再生部１５は、再生予定映像区間選定部１４が選定した映像区間の映像、または入力装置３に入力された指示によって指定された映像（映像区間の映像）を記憶部２から取得し、取得した映像を表示装置４に表示させ、映像を再生する（ステップＳ１１４）。映像再生部１５は、再生予定映像区間選定部１４が選定した映像区間の映像を、重要度順に再生してもよいし、時刻順に再生してもよい。【００５３】
本実施の形態によれば、現在の再生位置に応じて映像区間の重要度を算出し、算出した重要度とモバイル端末の電池残量とに応じて再生する映像区間を選定するように構成されているので、電池からの電力供給が停止したために重要なシーン（映像区間）が再生されない事態を回避することができる。【００５４】
なお、本実施の形態は、映像の再生だけでなく、音声、音楽など時間軸に沿って再生されるすべてのメディアの再生に適応することができる。したがって、動画像と音響信号との双方を再生しても、動画像のみを再生しても、音響信号のみを再生してもよい。【００５５】
代表的な実施の形態２．
本発明の代表的な第２の実施の形態について説明する。なお、本実施の形態では、代表的な第１の実施の形態と同様に、コンテンツが映像である場合を例に説明する。また、本発明の代表的な第２の実施の形態の映像再生装置の構成は、図１に示す代表的な第１の実施の形態の映像再生装置の構成と同様なため、各構成要素には図１と同じ符号を付し、説明を省略する。【００５６】
なお、代表的な第１の実施の形態では、映像区間重要度算出部１３は、現在再生中の時間位置以降の各映像区間の重要度を算出するが、代表的な第２の実施の形態における映像区間重要度算出部１３は、全ての映像区間の重要度を算出する。【００５７】
代表的な第２の実施の形態の動作について、図面を参照して説明する。図３は、代表的な第２の実施の形態の動作を説明するフローチャートである。【００５８】
利用者によって、リモコンやキーボードなどの入力装置３を介して、再生する映像コンテンツの識別子を指定された場合に、映像再生部１５は、映像記憶部２１に記憶されている映像のうち、指定された映像を再生する（ステップＳ２０１）。【００５９】
電池残量計測部１１は、例えば、所定の時間間隔で、モバイル端末の電池の残量を計測する（ステップＳ２０２）。映像再生可能時間算出部１２は、電池残量計測部１１が計測した電池の残量を参照して、電池の残量が一定値（しきい値）以下になったか否かを判定する（ステップＳ２０３）。映像再生可能時間算出部１２は、電池の残量が一定値以下になったと判定した場合に（ステップＳ２０３のＹＥＳ）、電池からの電力供給が停止するまでに映像を再生することができる時間長を算出する（ステップＳ２０４）。【００６０】
映像区間重要度算出部１３は、現在再生中の箇所の時間位置を視聴履歴記憶部２３から呼び出す（ステップＳ２０５）。そして、現在再生中の時間位置以降の各映像区間と、現在再生中の箇所を含む映像区間より前の各映像区間との関連度をそれぞれ映像区間関連度記憶部２２から呼び出し、現在再生中の時間位置以降の各映像区間の重要度を算出する。【００６１】
具体的には、例えば、現在再生中の映像の時間位置を含む映像区間の通し番号をｍ、再生対象の映像に含まれる映像区間の数をＮとし、現在再生中の映像の時間位置を含む映像区間より前の映像区間のうち、最初に重要度を算出する映像区間の通し番号ｐを、現在再生中の映像の時間位置を含む映像区間の１つ前の映像区間の通し番号ｍ−１とする（ステップＳ２０６）。そして、映像区間重要度算出部１３は、ｍ番目の映像区間からＮ番目の映像区間のそれぞれの重要度Ｖｎ （ｍ≦ｎ≦Ｎ）を、代表的な第１の実施の形態のステップＳ１０９〜Ｓ１１１と同様な方法で算出する（ステップＳ２０７〜Ｓ２０９）。【００６２】
すなわち、映像区間重要度算出部１３は、ｎ番目の映像区間の重要度Ｖｎ を算出し（ステップＳ２０７）、ｎ番目の映像区間の後の映像区間の重要度を算出するために、ｎに１を加える（ステップＳ２０８）。そして、ｎがＮよりも大きくない場合に（ステップＳ２０９のＮＯ）、映像区間重要度算出部１３は、ｎ（ステップＳ２０８で１が加えられている。）番目の映像区間の重要度Ｖｎ を算出する（ステップＳ２０７）。【００６３】
さらに、映像区間重要度算出部１３は、呼び出した関連度に１未満の値を乗算した値を加算し、現在再生中の箇所を含む映像区間より前の各映像区間の重要度として算出する。【００６４】
現在再生中の箇所を含む映像区間より前の各映像区間の重要度を算出する際に、１未満の値を乗算して重み付け加算する理由を説明する。現在再生中の箇所を含む映像区間より前の映像区間の重要度と、現在再生中の箇所以降の各映像区間の重要度とを同等に扱ってしまうと、視聴済みの映像区間と未視聴の映像区間とが対等に扱われてしまい、視聴済みの映像区間と未視聴の映像区間が再生される確率が同等になる。そこで、未視聴部分の映像区間をより優先的に再生させるために、現在再生中の箇所を含む映像区間より前の映像区間に対しては重み係数（１未満）を乗算して重要度を下げる（重要度の値を小さくする）。【００６５】
具体的には、映像区間重要度算出部１３は、１番目の映像区間からｍ−１番目の映像区間のそれぞれの重要度Ｖｐ （０＜ｐ≦ｍ−１）を算出する（ステップＳ２１０〜Ｓ２１２）。例えば、映像区間の数（Ｎ）が６で、４番目の映像区間が再生中の場合（つまり、ｍ＝４）に、３番目の映像区間の重要度Ｖ３ は、３番目の映像区間と４番目の映像区間との関連度Ｒ（３，４）、３番目の映像区間と５番目の映像区間との関連度Ｒ（３，５）、および３番目の映像区間と６番目の映像区間との関連度Ｒ（３，６）に、それぞれ１未満の重み係数を乗じた和である。【００６６】
映像区間重要度算出部１３は、ｐ番目の映像区間の重要度Ｖｐ を算出した場合（ステップＳ２１０）、ｐ番目の映像区間の前の映像区間の重要度を算出するために、ｐから１を減算する（ステップＳ２１１）。そして、ｐが１未満でない場合に（ステップＳ２１２のＮＯ）、映像区間重要度算出部１３は、ｐ（ステップＳ２１１で１が減算されている。）番目の映像区間の重要度Ｖｐ を算出する（ステップＳ２１０）。【００６７】
したがって、４番目の映像区間が再生中の場合に、映像区間重要度算出部１３は、ステップＳ２１０で、最初に３番目の映像区間の重要度Ｖ３ を算出し、次に２番目の映像区間の重要度Ｖ２ を算出し、次に１番目の映像区間の重要度Ｖ１ を算出する。【００６８】
再生予定映像区間選定部１４は、映像再生可能時間算出部１２が算出した時間長に収まるように、映像区間重要度算出部１３が算出した各映像区間の重要度を参照して、再生する映像区間を選定する。例えば、ステップＳ２１３、およびステップＳ２１４に示すように、映像区間の時間長の合計が映像再生可能時間算出部１２が算出した時間長以内になるように、重要度が高い（重要度の値が大きい）順番に映像区間を並べ（ステップＳ２１３）、並べた順番に映像区間を選定する（ステップＳ２１４）。【００６９】
映像再生部１５は、再生予定映像区間選定部１４が選定した映像区間の映像、または入力装置３に入力された指示によって指定された映像（映像区間の映像）を記憶部２から取得し、取得した映像を表示装置４に表示させ、映像を再生する（ステップＳ２１５）。映像再生部１５は、再生予定映像区間選定部１４が選定した映像区間の映像を、重要度順に再生してもよいし、時刻順に再生してもよい。また、映像再生部１５は、現在再生中の箇所を含む映像区間より前の各映像区間の映像を再生してもよい。【００７０】
本実施の形態によれば、現在の再生位置に応じて映像区間の重要度を算出し、算出した重要度とモバイル端末の電池残量とに応じて再生する映像区間を選定するように構成されているので、電池からの電力供給が停止したために重要なシーン（映像区間）が再生されない事態を回避することができる。【００７１】
また、本実施の形態によれば、一度再生したシーン（映像区間）であっても、未視聴部分を再生するにあたって重要な映像区間であればその映像区間を再度再生することにより、利用者に、よりスムースに未視聴部分の映像を理解させることができる。【００７２】
代表的な実施の形態３．
本発明の代表的な第３の実施の形態について、図面を参照して説明する。図４は、本発明の代表的な第３の実施の形態の音響信号再生装置の構成例を示すブロック図である。なお、本実施の形態では、コンテンツが音響信号による音声である場合を例に説明する。【００７３】
図４に示す音響信号再生装置は、入力装置３０と、プログラム制御により動作するデータ処理部１０と、情報を記憶する記憶部２０と、音声出力装置４０とを含む。また、音響信号再生装置は、各部に電力を供給する電池を搭載している。なお、本実施の形態において、音響信号再生装置は、携帯型の電子機器（以下、モバイル端末という。）である。【００７４】
音声出力装置４０は、スピーカ等であり、音声を出力する。入力装置３０は、ボタンや、キーボード、キーパット、ポインティングデバイス、リモコン（リモートコントローラ）等の入力デバイスであり、再生する音楽、スピーチ、ラジオ番組などの音響信号を指定する等の音響信号再生に関する指示を入力することができる。【００７５】
記憶部２０は、音響信号記憶部２１０と、音響信号区間関連度記憶部２２０と、視聴履歴記憶部２３０とを含む。なお、記憶部２０は、モバイル端末内にあってもよいし、記憶部２０に記憶されている情報を、データ処理部１０が通信ネットワーク経由で取得可能な場所にあってもよい。【００７６】
音響信号記憶部２１０は、再生対象の音響信号を記憶している。音響信号区間関連度記憶部２２０は、各音響信号区間同士の関連度を記憶する。ここで、音響信号区間とは、再生対象の音響信号を時間方向に区切ったものである。編集者によって定められたシーンや、話題の切り替わり点などを、手動であらかじめ音響信号の区切りと定義しておく。なお、手動で音響信号区間を定義するかわりに、無音区間検出技術や、音声認識技術により音声をテキスト化したうえで、話題の切り替わりを検出するトピック分割技術などを用いて、自動的に音響信号を意味のあるまとまりに区切ってもよい。【００７７】
音響信号区間関連度記憶部２２０は、区切られた各音響信号区間に対して、その音響信号区間以降の音響信号区間に対する関連度をそれぞれ記憶している。例えば、音響信号区間がＮ個ある場合に、音響信号区間関連度記憶部２２０は、１番目の音響信号区間に対して、１番目の音響信号区間と２番目の音響信号区間との関連度、１番目の音響信号区間と３番目の音響信号区間との関連度、１番目の音響信号区間と４番目の音響信号区間との関連度、・・・、および１番目の音響信号区間とＮ番目の音響信号区間との関連度を記憶している。【００７８】
また、音響信号区間関連度記憶部２２０は、２番目の音響信号区間に対して、２番目の音響信号区間と３番目の音響信号区間との関連度、２番目の音響信号区間と４番目の音響信号区間との関連度、・・・、および２番目の音響信号区間とＮ番目の音響信号区間との関連度を記憶している。音響信号区間関連度記憶部２２０は、以下、同様に、ｊ番目の音響信号区間に対して、ｊ番目の音響信号区間と、ｊ＋１番目の音響信号区間からＮ番目の音響信号区間までの各音響信号区間との関連度をそれぞれ記憶している。【００７９】
ｊ番目の音響信号区間とｋ番目の音響信号区間との関連度Ｒ（ｊ，ｋ）の値は、手動で割り当てられてもよいし、自動的に割り当てられてもよい。自動的に関連度を割り当てる方法の一例として、音響信号区間ごとに付与されたテキストデータの相関を求めることにより関連度を算出する方法がある。キーワードやテキスト間の類似度算出方法で用いられるコサイン類似度を、関連度として用いることができる。前記した参考文献３には、ワードやテキスト間の類似度算出方法として用いられるコサイン類似度について記載されている。【００８０】
視聴履歴記憶部２３は、音響信号にもとづく音声がどの時間位置まで視聴されたのかを記憶する。なお、音響信号にもとづく音声を再生することを、音響信号を再生すると記すこともある。【００８１】
データ処理部１０は、電池残量計測部１１０と、音響信号再生可能時間算出部１２０と、音響信号区間重要度算出部１３０と、再生予定音響信号区間選定部１４０と、音響信号再生部１５０とを含む。【００８２】
電池残量計測部１１０は、モバイル端末の電池の残量を計測する。音響信号再生可能時間算出部１２０は、電池残量計測部１１０が計測した電池の残量を参照して、電池の残量が一定値以下になったときに、電池からの電力供給が停止するまでに再生できる音響信号の時間長を算出する。【００８３】
音響信号区間重要度算出部１３０は、音響信号再生可能時間算出部１２０が算出した時間長が、現在再生中の箇所以降の音響信号の時間長よりも短いか否かを判定する。音響信号区間重要度算出部１３０は、音響信号再生可能時間算出部１２０が算出した時間長のほうが短いと判定した場合に、現在再生中の音響信号の時間位置を視聴履歴記憶部２３０から呼び出す。そして、現在再生中の音響信号の時間位置を含む音響信号区間以降の各音響信号区間と、現在再生中の箇所を含む音響信号区間より前の各音響信号区間（視聴済みの音響信号区間）との関連度を音響信号区間関連度記憶部２２０から呼び出し、呼び出した関連度を各映像区間ごとに合計した値をその音響信号区間の重要度として算出する。ｊ番目の音響信号区間に対する重要度Ｖｊ は、前述した式１により算出される。【００８４】
再生予定音響信号区間選定部１４０は、音響信号再生可能時間算出部１２０が算出した時間長に収まるように、音響信号区間重要度算出部１３０が算出した各音響信号区間の重要度を参照して、再生する音響信号区間を選定する。例えば、音響信号区間の時間長の合計が、音響信号再生可能時間算出部１２０が算出した時間長以内になるように、重要度の高い順に再生する音響信号区間を選定する。なお、再生予定音響信号区間選定部１４０は、モバイル端末が利用者に再生音響信号区間の選定を自動的に行ってもよいかを選択させ、利用者がよいと選択した場合にのみ、再生区間の自動選定を行うようにしてもよい。【００８５】
音響信号再生部１５０は、再生予定音響信号区間選定部１４０が選定した音響信号区間、または入力装置３に入力された指示によって指定された音響信号（音響信号区間の音響信号）を取得し、取得した音響信号を音声出力装置４０に音声に変換させて出力させ、音響信号を再生させる。【００８６】
次に、代表的な第３の実施の形態の動作について、図面を参照して説明する。図５は、代表的な第３の実施の形態の動作を説明するフローチャートである。【００８７】
利用者によって、リモコンやキーボードなどの入力装置３を介して、再生する音響信号コンテンツの識別子が指定された場合に、音響信号再生部１５０は、音響信号記憶部２１０に記憶されている音響信号のうち、指定された音響信号を再生する（ステップＳ３０１）。【００８８】
電池残量計測部１１０は、例えば、所定の時間間隔で、モバイル端末の電池の残量を計測する（ステップＳ３０２）。音響信号再生可能時間算出部１２０は、電池残量計測部１１０が計測した電池の残量を参照して、電池の残量が一定値（しきい値）以下になったか否かを判定する（ステップＳ３０３）。音声信号再生可能時間算出部１２０は、電池の残量が一定値以下になったと判定した場合に（ステップＳ３０３のＹＥＳ）、電池からの電力供給が停止するまでに音響信号を再生することができる時間長を算出する（ステップＳ３０４）。【００８９】
次に、音響信号区間重要度算出部１３０は、音響信号再生可能時間算出部１２０が算出した時間長が、現在再生中の箇所以降の音響信号の時間長よりも短いか否かを判定する（ステップＳ３０５）。電池残量の範囲内で未視聴部分をすべて再生可能な場合、つまり再生可能時間長が未視聴部分の時間長以上の場合に、音響信号区間重要度算出部１３０は、音響信号再生可能時間算出部１２０が算出した時間長が、現在再生中の箇所以降の音響信号の時間長よりも長いと判定する（ステップＳ３０５のＹＥＳ）。そして、音響信号再生部１５０は、現在再生中の音響信号をそのまま再生し（ステップＳ３０６）、再生が終わるとともに処理を終了する。【００９０】
音響信号再生可能時間算出部１２０が算出した時間長が、現在再生中の箇所以降の音響信号の時間長よりも短い場合に、音響信号区間重要度算出部１３０は、音響信号再生可能時間算出部１２０が算出した時間長が現在再生中の箇所以降の音響信号の時間長よりも短いと判定し（ステップＳ３０５のＮＯ）、現在再生中の箇所の時間位置を視聴履歴記憶部２３０から呼び出す（ステップＳ３０７）。そして、現在再生中の箇所以降の各音響信号区間と、現在再生中の箇所を含む音響信号区間より前の各音響信号区間との関連度をそれぞれ音響信号区間関連度記憶部２２０から呼び出し、現在再生中の箇所以降の各音響信号区間の重要度を算出する。【００９１】
なお、ｊ番目の音響信号区間に対する重要度Ｖｊ は、式１により算出される。したがって、クイズ番組で、あるクイズの問題の箇所（音響信号区間）が視聴済みである場合には、関連が極めて高いと考えられるその問題の解答部分の音響信号区間の重要度が高く設定されることになる。【００９２】
各音響信号区間の重要度の算出方法について説明する。例えば、現在再生中の音響信号の時間位置を含む音響信号区間の通し番号をｍ、再生対象の音響信号に含まれる音響信号区間の数をＮとする（ステップＳ３０８）。そして、音響信号区間重要度算出部１３０は、ｍ番目の音響信号区間からＮ番目の音響信号区間のそれぞれに対して、重要度Ｖｎ（ｍ≦ｎ≦Ｎ）を算出する（ステップＳ３０９〜Ｓ３１１）。【００９３】
具体的には、音響信号区間重要度算出部１３０は、ｎ番目の音響信号区間の重要度Ｖｎ を算出する（ステップＳ３０９）。そして、音響信号区間重要度算出部１３０は、ｎ番目の音響信号区間の後の音響信号区間の重要度を算出するために、ｎに１を加える（ステップＳ３１０）。そして、ｎがＮよりも大きくない場合に（ステップＳ３１１のＮＯ）、音響信号区間重要度算出部１３０は、ｎ（ステップＳ３１０で１が加えられている。）番目の音響信号区間の重要度Ｖｎ を算出する（ステップＳ３０９）。【００９４】
再生予定音響信号区間選定部１４０は、音響信号再生可能時間算出部１２０が算出した時間長に収まるように、音響信号区間重要度算出部１３０が算出した各音響信号区間の重要度を参照して、再生する音響信号区間を選定する。例えば、ステップＳ３１２、およびステップＳ３１３に示すように、音響信号区間の時間長の合計が音響信号再生可能時間算出部１２０が算出した時間長以内になるように、重要度の高い（重要度の値が大きい）順番に音響信号区間を並べ（ステップＳ３１２）、並べた順番に音響信号区間を選定する（ステップＳ３１３）。【００９５】
音響信号再生部１５０は、再生予定音響信号区間選定部１４０が選定した音響信号区間の音響信号、または入力装置３に入力された指示によって指定された音響信号（音響信号区間の音響信号）を取得し、取得した音響信号を音声出力装置４０に音声に変換させて出力させ、音響信号を再生させる（ステップＳ３１４）。音響信号再生部１５０は、再生予定音響信号区間選定部１４０が選定した音響信号区間の音響信号を、重要度順に再生してもよいし、時刻順に再生してもよい。【００９６】
本実施の形態によれば、現在の再生位置に応じて音響信号区間の重要度を算出し、算出した重要度とモバイル端末の電池残量とに応じて再生する音響信号区間を選定するように構成されているので、電池からの電力供給が停止したために重要なシーン（音響信号区間）が再生されない事態を回避することができる。【００９７】
本発明の第１の観点によるコンテンツ再生装置において、電池残量を計測する電池残量計測手段を含み、コンテンツ再生可能時間算出手段は、前記電池残量計測手段が計測した電池残量が一定値以下になった場合に、電池残量にもとづいてコンテンツの再生可能時間を算出するようにしてもよい。【００９８】
本発明の第１の観点によるコンテンツ再生装置において、コンテンツ区間同士の関連度を記憶したコンテンツ区間関連度記憶部を含み、再生対象コンテンツ重要度算出手段は、現在再生中の箇所以降の各コンテンツ区間に対して、現在再生中の箇所を含むコンテンツ区間より前の各コンテンツ区間との関連度を前記コンテンツ区間関連度記憶部から呼び出し、呼び出した前記関連度の合計を各コンテンツ区間の重要度として算出するようにしてもよい。【００９９】
本発明の第１の観点によるコンテンツ再生装置において、コンテンツ区間同士の関連度を記憶したコンテンツ区間関連度記憶部を含み、再生対象コンテンツ重要度算出手段は、コンテンツ再生可能時間算出手段が算出した時間長が、現在再生中の箇所以降のコンテンツの時間長よりも短い場合に、現在再生中の箇所以降の各コンテンツ区間に対して、現在再生中の箇所を含むコンテンツ区間より前の各コンテンツ区間との関連度を前記コンテンツ区間関連度記憶部から呼び出し、呼び出した前記関連度の合計を各コンテンツ区間の重要度として算出するようにしてもよい。【０１００】
本発明の代表的な実施形態が詳細に述べられたが、様々な変更(changes)、置き換え(substitutions)及び選択(alternatives)が請求項で定義された発明の精神と範囲から逸脱することなくなされることが理解されるべきである。また、仮にクレームが出願手続きにおいて補正されたとしても、クレームされた発明の均等の範囲は維持されるものと発明者は意図する。
【産業上の利用可能性】
【０１０１】
本発明は、電池で動作し、コンテンツを再生することができるあらゆる装置に適用できる。例えば、ハードディスクレコーダ、ホームサーバ、パソコン、携帯電話機、ＤＶＤ（Ｄｉｇｉｔａｌ  Ｖｅｒｓａｔｉｌｅ  Ｄｉｓｃ）再生機、ＣＤ（Ｃｏｍｐａｃｔ  Ｄｉｓｃ）再生機、およびディジタルカメラなどでのコンテンツの再生に適用可能である。また、記録メディアに記録されたコンテンツの再生だけでなく、インターネットなどの通信ネットワーク経由でサーバ等が搭載している記録メディアに装置からアクセスして、記録メディアに含まれるコンテンツの再生にも適用可能である。
【図１】
2007142183.tif 000004
【図２】
2007142183.tif 000005
【図３】
2007142183.tif 000006
【図４】
2007142183.tif 000007
【図５】
2007142183.tif 000008
【手続補正書】
【提出日】平成20年4月1日(2008.4.1)
【手続補正１】
【補正対象書類名】特許請求の範囲
【補正対象項目名】全文
【補正方法】変更
【補正の内容】
【特許請求の範囲】
【請求項１】
電池残量にもとづいて、コンテンツの再生可能時間を算出するコンテンツ再生可能時間算出手段と、
時間方向に区切られたコンテンツの区間であるコンテンツ区間のうち、再生済みのコンテンツ区間以外の区間に対して、再生済みのコンテンツ区間に応じて、再生対象となるコンテンツ区間の重要度を算出する再生対象コンテンツ重要度算出手段と、
前記再生対象コンテンツ重要度算出手段が算出した重要度に応じて、前記コンテンツ再生可能時間算出手段が算出した時間内で再生するコンテンツ区間を選択するコンテンツ区間選択手段と、
前記コンテンツ区間選択手段が選択したコンテンツ区間のコンテンツを再生するコンテンツ再生手段とを備えた
ことを特徴とするコンテンツ再生装置。
【請求項２】
電池残量を計測する電池残量計測手段を含み、
コンテンツ再生可能時間算出手段は、前記電池残量計測手段が計測した電池残量が一定値以下になった場合に、電池残量にもとづいてコンテンツの再生可能時間を算出する
請求項１記載のコンテンツ再生装置。
【請求項３】
コンテンツ区間同士の関連度を記憶したコンテンツ区間関連度記憶部を含み、
再生対象コンテンツ重要度算出手段は、現在再生中の箇所以降の各コンテンツ区間に対して、現在再生中の箇所を含むコンテンツ区間より前の各コンテンツ区間との関連度を前記コンテンツ区間関連度記憶部から呼び出し、呼び出した前記関連度の合計を各コンテンツ区間の重要度として算出する
請求項１または請求項２記載のコンテンツ再生装置。
【請求項４】
コンテンツ区間同士の関連度を記憶したコンテンツ区間関連度記憶部を含み、
再生対象コンテンツ重要度算出手段は、コンテンツ再生可能時間算出手段が算出した時間長が、現在再生中の箇所以降のコンテンツの時間長よりも短い場合に、現在再生中の箇所以降の各コンテンツ区間に対して、現在再生中の箇所を含むコンテンツ区間より前の各コンテンツ区間との関連度を前記コンテンツ区間関連度記憶部から呼び出し、呼び出した前記関連度の合計を各コンテンツ区間の重要度として算出する
請求項１から請求項３のうちいずれか１項記載のコンテンツ再生装置。
【請求項５】
電池残量にもとづいて、コンテンツの再生可能時間を算出するコンテンツ再生可能時間算出ステップと、
時間方向に区切られたコンテンツの区間であるコンテンツ区間のうち、再生済みのコンテンツ区間以外の区間に対して、再生済みのコンテンツ区間に応じて、再生対象となるコンテンツ区間の重要度を算出する再生対象コンテンツ重要度算出ステップと、
前記再生対象コンテンツ重要度算出ステップで算出した重要度に応じて、前記コンテンツ再生可能時間算出ステップで算出した時間内で再生するコンテンツ区間を選択するコンテンツ区間選択ステップと、
前記コンテンツ区間選択ステップで選択したコンテンツ区間のコンテンツを再生するコンテンツ再生ステップとを備えた
ことを特徴とするコンテンツ再生方法。
【請求項６】
電池残量を計測する電池残量計測ステップを含み、
前記電池残量計測ステップにおいて計測した電池残量が一定値以下になった場合に、コンテンツ再生可能時間算出ステップで、電池残量にもとづいてコンテンツの再生可能時間を算出する
請求項５記載のコンテンツ再生方法。
【請求項７】
再生対象コンテンツ重要度算出ステップで、現在再生中の箇所以降の各コンテンツ区間に対して、現在再生中の箇所を含むコンテンツ区間より前の各コンテンツ区間との関連度をコンテンツ区間同士の関連度を記憶したコンテンツ区間関連度記憶部から呼び出し、呼び出した前記関連度の合計を各コンテンツ区間の重要度として算出する
請求項５または請求項６記載のコンテンツ再生方法。
【請求項８】
コンテンツ再生可能時間算出ステップにおいて算出した時間長が、現在再生中の箇所以降のコンテンツの時間長よりも短い場合に、再生対象コンテンツ重要度算出ステップで、現在再生中の箇所以降の各コンテンツ区間に対して、現在再生中の箇所を含むコンテンツ区間より前の各コンテンツ区間との関連度をコンテンツ区間同士の関連度を記憶したコンテンツ区間関連度記憶部から呼び出し、呼び出した前記関連度の合計を各コンテンツ区間の重要度として算出する
請求項５から請求項７のうちいずれか１項記載のコンテンツ再生方法。
【請求項９】
電池残量にもとづいて、コンテンツの再生可能時間を算出するコンテンツ再生可能時間算出ステップと、
時間方向に区切られたコンテンツの区間であるコンテンツ区間のうち、再生済みのコンテンツ区間以外の区間に対して、再生済みのコンテンツ区間に応じて、再生対象となるコンテンツ区間の重要度を算出する再生対象コンテンツ重要度算出ステップと、
前記再生対象コンテンツ重要度算出ステップで算出した重要度に応じて、前記コンテンツ再生可能時間算出ステップで算出した時間内で再生するコンテンツ区間を選択するコンテンツ区間選択ステップと、
前記コンテンツ区間選択ステップで選択したコンテンツ区間のコンテンツを再生するコンテンツ再生ステップとを備えた
ことを特徴とするコンテンツ再生方法をコンピュータに行わせるためのコンテンツ再生用プログラム。
【請求項１０】
前記コンテンツ再生方法は、電池残量を計測する電池残量計測ステップを含み、
前記電池残量計測ステップにおいて計測した電池残量が一定値以下になった場合に、コンテンツ再生可能時間算出ステップで、電池残量にもとづいてコンテンツの再生可能時間を算出する
請求項９記載のコンテンツ再生用プログラム。
【請求項１１】
再生対象コンテンツ重要度算出ステップで、現在再生中の箇所以降の各コンテンツ区間に対して、現在再生中の箇所を含むコンテンツ区間より前の各コンテンツ区間との関連度をコンテンツ区間同士の関連度を記憶したコンテンツ区間関連度記憶部から呼び出し、呼び出した前記関連度の合計を各コンテンツ区間の重要度として算出する
請求項９または請求項１０記載のコンテンツ再生用プログラム。
【請求項１２】
コンテンツ再生可能時間算出ステップにおいて算出した時間長が、現在再生中の箇所以降のコンテンツの時間長よりも短い場合に、再生対象コンテンツ重要度算出ステップで、現在再生中の箇所以降の各コンテンツ区間に対して、現在再生中の箇所を含むコンテンツ区間より前の各コンテンツ区間との関連度をコンテンツ区間同士の関連度を記憶したコンテンツ区間関連度記憶部から呼び出し、呼び出した前記関連度の合計を各コンテンツ区間の重要度として算出する
請求項９から請求項１１のうちいずれか１項記載のコンテンツ再生用プログラム。
【手続補正２】
【補正対象書類名】明細書
【補正対象項目名】０００３
【補正方法】変更
【補正の内容】
【０００３】
停止してしまう可能性があるという問題がある。
［００１３］
また、特許文献１から特許文献４に記載されている方法では、ある映像区間が視聴済みであるか否かに関係なく、再生する映像区間に対する重要度は常に一定である。このため、例えばクイズ番組の問題部分の映像区間を視聴した場合と、視聴しなかった場合とによって、クイズの解答部分の映像区間の重要度は利用者にとっては異なる。しかし、特許文献１から特許文献４に記載の方法では、視聴の有無に関わらず同じ重要度になり、視聴済みの映像区間がある場合であっても、視聴済みの映像区間に応じて重要度を変更できないという問題がある。
［００１４］
また、特許文献５に記載されている装置は、コンテンツの重要度に関わらず、コンテンツの再生時間にもとづいてユーザに提示するコンテンツを決定するので、重要度が高い部分を含んでいるが、再生時間が長いコンテンツをユーザに提示することができないという問題がある。
［００１５］
そこで、本発明は、再生済み箇所および電池残量に応じて再生するコンテンツ区間を選定するコンテンツ再生装置、コンテンツ再生方法およびコンテンツ再生用プログラムを提供することを代表的な目的とする。
課題を解決するための手段
［００１６］
本発明の第１の観点によれば、電池残量にもとづいて、コンテンツの再生可能時間を算出するコンテンツ再生可能時間算出手段と、時間方向に区切られたコンテンツの区間であるコンテンツ区間のうち、再生済みのコンテンツ区間以外の区間に対して、再生済みのコンテンツ区間に応じて、再生対象となるコンテンツ区間の重要度を算出する再生対象コンテンツ重要度算出手段と、再生対象コンテンツ重要度算出手段が算出した重要度に応じて、コンテンツ再生可能時間算出手段が算出した時間内で再生するコンテンツ区間を選択するコンテンツ区間選択手段と、コンテンツ区間選択手段が選択したコンテンツ区間のコンテンツを再生するコンテンツ再生手段とを備えたことを特徴とするコンテンツ再生装置が提供される。
［００１７］
本発明の第２の観点によれば、電池残量にもとづいて、コンテンツの再生可能時間を算出するコンテンツ再生可能時間算出ステップと、時間方向に区切られたコンテンツの区間であるコンテンツ区間のうち、再生済みのコンテンツ区間以外の区間に対して、再生済みのコンテンツ区間に応じて、再生対
【手続補正３】
【補正対象書類名】明細書
【補正対象項目名】０００４
【補正方法】変更
【補正の内容】
【０００４】
象となるコンテンツ区間の重要度を算出する再生対象コンテンツ重要度算出ステップと、前記再生対象コンテンツ重要度算出ステップで算出した重要度に応じて、前記コンテンツ再生可能時間算出ステップで算出した時間内で再生するコンテンツ区間を選択するコンテンツ区間選択ステップと、前記コンテンツ区間選択ステップで選択したコンテンツ区間のコンテンツを再生するコンテンツ再生ステップとを備えたことを特徴とするコンテンツ再生方法が提供される。
［００１８］
本発明の第３の観点によれば、電池残量にもとづいて、コンテンツの再生可能時間を算出するコンテンツ再生可能時間算出ステップと、時間方向に区切られたコンテンツの区間であるコンテンツ区間のうち、再生済みのコンテンツ区間以外の区間に対して、再生済みのコンテンツ区間に応じて、再生対象となるコンテンツ区間の重要度を算出する再生対象コンテンツ重要度算出ステップと、前記再生対象コンテンツ重要度算出ステップで算出した重要度に応じて、前記コンテンツ再生可能時間算出ステップで算出した時間内で再生するコンテンツ区間を選択するコンテンツ区間選択ステップと、前記コンテンツ区間選択ステップで選択したコンテンツ区間のコンテンツを再生するコンテンツ再生ステップとを備えたことを特徴とするコンテンツ再生方法をコンピュータに行わせるためのコンテンツ再生用プログラムが提供される。
発明の効果
［００１９］
本発明によれば、電池からの電力供給が停止したために重要なシーン（コンテンツ区間）が再生されない事態を容易に回避することができる。その理由は、各コンテンツ区間の重要度を算出し、現在の再生位置にもとづいて算出した重要度およびコンテンツ再生装置の電池残量に応じて再生するコンテンツ区間を決定するように構成したためである。
［００２０］
電池残量計測手段が計測した電池残量が一定値以下になった場合に、電池残量にもとづいてコンテンツの再生可能時間を算出するように構成されている場合には、電池残量に応じてコンテンツを再生することができる。
［００２１］
現在再生中の箇所以降の各コンテンツ区間と、現在再生中の箇所を含むコンテンツ区間より前の各コンテンツ区間との関連度にもとづいて、各コンテンツ区間の重要度を算出するように構成されている場合には、既に再生したコンテンツ区間に関連す
【手続補正書】
【提出日】平成21年1月15日(2009.1.15)
【手続補正１】
【補正対象書類名】明細書
【補正対象項目名】００１６
【補正方法】変更
【補正の内容】
【００１６】
本発明の第１の観点によれば、電池残量にもとづいて、コンテンツの再生可能時間を算出するコンテンツ再生可能時間算出手段と、時間方向に区切られたコンテンツの区間であるコンテンツ区間について、予めコンテンツ区間同士の関連性を表す関連度を定めておき、再生対象となるコンテンツ区間の重要度を、前記再生対象となるコンテンツ区間と再生済みのコンテンツ区間との間に予め定められた前記関連度をもとに算出する再生対象コンテンツ重要度算出手段と、前記再生対象コンテンツ重要度算出手段が算出した重要度に応じて、前記コンテンツ再生可能時間算出手段が算出した時間内で再生するコンテンツ区間を選択するコンテンツ区間選択手段と、前記コンテンツ区間選択手段が選択したコンテンツ区間のコンテンツを再生するコンテンツ再生手段と、を備えたことを特徴とするコンテンツ再生装置が提供される。
【手続補正２】
【補正対象書類名】明細書
【補正対象項目名】００１７
【補正方法】変更
【補正の内容】
【００１７】
本発明の第２の観点によれば、電池残量にもとづいて、コンテンツの再生可能時間を算出するコンテンツ再生可能時間算出ステップと、時間方向に区切られたコンテンツの区間であるコンテンツ区間について、予めコンテンツ区間同士の関連性を表す関連度を定めておき、再生対象となるコンテンツ区間の重要度を、前記再生対象となるコンテンツ区間と再生済みのコンテンツ区間との間に予め定められた前記関連度をもとに算出する再生対象コンテンツ重要度算出ステップと、前記再生対象コンテンツ重要度算出ステップで算出した重要度に応じて、前記コンテンツ再生可能時間算出ステップで算出した時間内で再生するコンテンツ区間を選択するコンテンツ区間選択ステップと、前記コンテンツ区間選択ステップで選択したコンテンツ区間のコンテンツを再生するコンテンツ再生ステップと、を備えたことを特徴とするコンテンツ再生方法が提供される。
【手続補正３】
【補正対象書類名】明細書
【補正対象項目名】００１８
【補正方法】変更
【補正の内容】
【００１８】
本発明の第３の観点によれば、電池残量にもとづいて、コンテンツの再生可能時間を算出するコンテンツ再生可能時間算出ステップと、時間方向に区切られたコンテンツの区間であるコンテンツ区間について、予めコンテンツ区間同士の関連性を表す関連度を定めておき、再生対象となるコンテンツ区間の重要度を、前記再生対象となるコンテンツ区間と再生済みのコンテンツ区間との間に予め定められた前記関連度をもとに算出する再生対象コンテンツ重要度算出ステップと、前記再生対象コンテンツ重要度算出ステップで算出した重要度に応じて、前記コンテンツ再生可能時間算出ステップで算出した時間内で再生するコンテンツ区間を選択するコンテンツ区間選択ステップと、前記コンテンツ区間選択ステップで選択したコンテンツ区間のコンテンツを再生するコンテンツ再生ステップと、を備えたことを特徴とするコンテンツ再生方法をコンピュータに行わせるためのコンテンツ再生用プログラムが提供される。
【手続補正４】
【補正対象書類名】特許請求の範囲
【補正対象項目名】全文
【補正方法】変更
【補正の内容】
【特許請求の範囲】
【請求項１】
電池残量にもとづいて、コンテンツの再生可能時間を算出するコンテンツ再生可能時間算出手段と、
時間方向に区切られたコンテンツの区間であるコンテンツ区間について、予めコンテンツ区間同士の関連性を表す関連度を定めておき、
再生対象となるコンテンツ区間の重要度を、前記再生対象となるコンテンツ区間と再生済みのコンテンツ区間との間に予め定められた前記関連度をもとに算出する再生対象コンテンツ重要度算出手段と、
前記再生対象コンテンツ重要度算出手段が算出した重要度に応じて、前記コンテンツ再生可能時間算出手段が算出した時間内で再生するコンテンツ区間を選択するコンテンツ区間選択手段と、
前記コンテンツ区間選択手段が選択したコンテンツ区間のコンテンツを再生するコンテンツ再生手段と、
を備えたことを特徴とするコンテンツ再生装置。
【請求項２】
前記再生対象となるコンテンツ区間が、現在再生中のコンテンツ区間以降の各コンテンツ区間であることを特徴とする請求項１に記載のコンテンツ再生装置。
【請求項３】
電池残量を計測する電池残量計測手段を含み、
前記コンテンツ再生可能時間算出手段は、前記電池残量計測手段が計測した電池残量が一定値以下になった場合に、電池残量にもとづいてコンテンツの再生可能時間を算出することを特徴とする請求項１に記載のコンテンツ再生装置。
【請求項４】
前記再生対象コンテンツ重要度算出手段は、現在再生中の箇所を含むコンテンツ区間より前の各コンテンツ区間と、現在再生中の箇所以降の各コンテンツ区間の関連性を表す値を前記関連度から選択し、前記選択した関連度の合計値を、現在再生中の箇所以降の各コンテンツ区間の重要度とすることを特徴とする請求項１又は２に記載のコンテンツ再生装置。
【請求項５】
前記再生対象コンテンツ重要度算出手段は、前記コンテンツ再生可能時間算出手段が算出した時間長が、現在再生中の箇所以降のコンテンツの時間長よりも短い場合に、前記合計値を算出することを特徴とする請求項４に記載のコンテンツ再生装置。
【請求項６】
電池残量にもとづいて、コンテンツの再生可能時間を算出するコンテンツ再生可能時間算出ステップと、
時間方向に区切られたコンテンツの区間であるコンテンツ区間について、予めコンテンツ区間同士の関連性を表す関連度を定めておき、
再生対象となるコンテンツ区間の重要度を、前記再生対象となるコンテンツ区間と再生済みのコンテンツ区間との間に予め定められた前記関連度をもとに算出する再生対象コンテンツ重要度算出ステップと、
前記再生対象コンテンツ重要度算出ステップで算出した重要度に応じて、前記コンテンツ再生可能時間算出ステップで算出した時間内で再生するコンテンツ区間を選択するコンテンツ区間選択ステップと、
前記コンテンツ区間選択ステップで選択したコンテンツ区間のコンテンツを再生するコンテンツ再生ステップと、
を備えたことを特徴とするコンテンツ再生方法。
【請求項７】
前記再生対象となるコンテンツ区間が、現在再生中のコンテンツ区間以降の各コンテンツ区間であることを特徴とする請求項６に記載のコンテンツ再生方法。
【請求項８】
電池残量を計測する電池残量計測ステップを含み、
前記電池残量計測ステップにおいて計測した電池残量が一定値以下になった場合に、前記コンテンツ再生可能時間算出ステップで、電池残量にもとづいてコンテンツの再生可能時間を算出することを特徴とする請求項６に記載のコンテンツ再生方法。
【請求項９】
前記再生対象コンテンツ重要度算出ステップでは、現在再生中の箇所を含むコンテンツ区間より前の各コンテンツ区間と、現在再生中の箇所以降の各コンテンツ区間の関連性を表す値を前記関連度から選択し、前記選択した関連度の合計値を、現在再生中の箇所以降の各コンテンツ区間の重要度とすることを特徴とする請求項６又は７に記載のコンテンツ再生方法。
【請求項１０】
前記コンテンツ再生可能時間算出ステップにおいて算出した時間長が、現在再生中の箇所以降のコンテンツの時間長よりも短い場合に、前記再生対象コンテンツ重要度算出ステップで、前記合計値を算出することを特徴とする請求項９に記載のコンテンツ再生方法。
【請求項１１】
電池残量にもとづいて、コンテンツの再生可能時間を算出するコンテンツ再生可能時間算出ステップと、
時間方向に区切られたコンテンツの区間であるコンテンツ区間について、予めコンテンツ区間同士の関連性を表す関連度を定めておき、
再生対象となるコンテンツ区間の重要度を、前記再生対象となるコンテンツ区間と再生済みのコンテンツ区間との間に予め定められた前記関連度をもとに算出する再生対象コンテンツ重要度算出ステップと、
前記再生対象コンテンツ重要度算出ステップで算出した重要度に応じて、前記コンテンツ再生可能時間算出ステップで算出した時間内で再生するコンテンツ区間を選択するコンテンツ区間選択ステップと、
前記コンテンツ区間選択ステップで選択したコンテンツ区間のコンテンツを再生するコンテンツ再生ステップと、
を備えたことを特徴とするコンテンツ再生方法をコンピュータに行わせるためのコンテンツ再生用プログラム。
【請求項１２】
前記再生対象となるコンテンツ区間が、現在再生中のコンテンツ区間以降の各コンテンツ区間であることを特徴とする請求項１１に記載のコンテンツ再生用プログラム。
【請求項１３】
前記コンテンツ再生方法は、電池残量を計測する電池残量計測ステップを含み、
前記電池残量計測ステップにおいて計測した電池残量が一定値以下になった場合に、前記コンテンツ再生可能時間算出ステップで、電池残量にもとづいてコンテンツの再生可能時間を算出することを特徴とする請求項１１に記載のコンテンツ再生用プログラム。
【請求項１４】
前記再生対象コンテンツ重要度算出ステップでは、現在再生中の箇所を含むコンテンツ区間より前の各コンテンツ区間と、現在再生中の箇所以降の各コンテンツ区間の関連性を表す値を前記関連度から選択し、前記選択した関連度の合計値を、現在再生中の箇所以降の各コンテンツ区間の重要度とすることを特徴とする請求項１１又は１２に記載のコンテンツ再生用プログラム。
【請求項１５】
前記コンテンツ再生可能時間算出ステップにおいて算出した時間長が、現在再生中の箇所以降のコンテンツの時間長よりも短い場合に、前記再生対象コンテンツ重要度算出ステップで、前記合計値を算出することを特徴とする請求項１４に記載のコンテンツ再生用プログラム。
【国際調査報告】
2007142183.tif 000009
2007142183.tif 000010
2007142183.tif 000011
2007142183.tif 000012